(57)【特許請求の範囲】
【請求項１】
車両に搭載された自動変速機の制御装置であって、
運転者の操作を示す第１の情報を検出するための手段と、
前記車両が走行する環境を示す第２の情報を検出するための手段と、
前記第１の情報に応じて、少なくともアクセル開度および駆動力を成分として有する第１のパラメータを設定するための手段と、
前記第２の情報に応じて、前記第１のパラメータと同じ種類の成分を有する第２のパラメータを設定するための手段と、
前記第１のパラメータおよび前記第２のパラメータに応じて、前記第１のパラメータおよび前記第２のパラメータと同じ種類の成分を有する第３のパラメータを設定するための手段と、
前記第３のパラメータに応じてギヤ比を設定するための手段と、
前記設定されたギヤ比に従って変速するように前記自動変速機を制御するための手段とを備える、自動変速機の制御装置。
【請求項２】
車両に搭載された自動変速機の制御装置であって、
運転者の操作を示す第１の情報を検出するための手段と、
前記車両が走行する環境を示す第２の情報を検出するための手段と、
前記第１の情報に応じて、少なくともスロットル開度および駆動力を成分として有する第１のパラメータを設定するための手段と、
前記第２の情報に応じて、前記第１のパラメータと同じ種類の成分を有する第２のパラメータを設定するための手段と、
前記第１のパラメータおよび前記第２のパラメータに応じて、前記第１のパラメータおよび前記第２のパラメータと同じ種類の成分を有する第３のパラメータを設定するための手段と、
前記第３のパラメータに応じてギヤ比を設定するための手段と、
前記設定されたギヤ比に従って変速するように前記自動変速機を制御するための手段とを備える、自動変速機の制御装置。
【請求項３】
前記第３のパラメータの各成分は、前記第１のパラメータおよび前記第２のパラメータの各成分の和である、請求項１または２に記載の自動変速機の制御装置。
【請求項４】
前記第３のパラメータの各成分は、前記第１のパラメータおよび前記第２のパラメータの各成分の最大値である、請求項１または２に記載の自動変速機の制御装置。
【請求項５】
前記第３のパラメータの各成分は、前記第１のパラメータおよび前記第２のパラメータの各成分の最小値である、請求項１または２に記載の自動変速機の制御装置。
【請求項６】
車両に搭載された自動変速機の制御装置であって、
車速を検出するための手段と、
アクセル開度を検出するための手段と、
前記車両の駆動力を検出するための手段と、
車速、アクセル開度および駆動力によりギヤ比を定めるマップに従って変速するように前記自動変速機を制御するための制御手段と、
将来の駆動力を推定するための手段とを備え、
前記制御手段は、現在の駆動力を用いて定められるギヤ比が将来の駆動力を用いて定められるギヤ比よりも小さい場合、将来の駆動力を用いて定められるギヤ比になるように前記自動変速機を制御するための手段を含む、自動変速機の制御装置。
【請求項７】
車両に搭載された自動変速機の制御装置であって、
車速を検出するための手段と、
スロットル開度を検出するための手段と、
前記車両の駆動力を検出するための手段と、
車速、スロットル開度および駆動力によりギヤ比を定めるマップに従って変速するように前記自動変速機を制御するための制御手段と、
将来の駆動力を推定するための手段とを備え、
前記制御手段は、現在の駆動力を用いて定められるギヤ比が将来の駆動力を用いて定められるギヤ比よりも小さい場合、将来の駆動力を用いて定められるギヤ比になるように前記自動変速機を制御するための手段を含む、自動変速機の制御装置。
【請求項８】
車両に搭載された自動変速機の制御方法であって、
運転者の操作を示す第１の情報を検出するステップと、
前記車両が走行する環境を示す第２の情報を検出するステップと、
前記第１の情報に応じて、少なくともアクセル開度および駆動力を成分として有する第１のパラメータを設定するステップと、
前記第２の情報に応じて、前記第１のパラメータと同じ種類の成分を有する第２のパラメータを設定するステップと、
前記第１のパラメータおよび前記第２のパラメータに応じて、前記第１のパラメータおよび前記第２のパラメータと同じ種類の成分を有する第３のパラメータを設定するステップと、
前記第３のパラメータに応じてギヤ比を設定するステップと、
前記設定されたギヤ比に従って変速するように前記自動変速機を制御するステップとを備える、自動変速機の制御方法。
【請求項９】
車両に搭載された自動変速機の制御方法であって、
運転者の操作を示す第１の情報を検出するステップと、
前記車両が走行する環境を示す第２の情報を検出するステップと、
前記第１の情報に応じて、少なくともスロットル開度および駆動力を成分として有する第１のパラメータを設定するステップと、
前記第２の情報に応じて、前記第１のパラメータと同じ種類の成分を有する第２のパラメータを設定するステップと、
前記第１のパラメータおよび前記第２のパラメータに応じて、前記第１のパラメータおよび前記第２のパラメータと同じ種類の成分を有する第３のパラメータを設定するステップと、
前記第３のパラメータに応じてギヤ比を設定するステップと、
前記設定されたギヤ比に従って変速するように前記自動変速機を制御するステップとを備える、自動変速機の制御方法。
【請求項１０】
前記第３のパラメータの成分は、前記第１のパラメータおよび前記第２のパラメータの各成分の和である、請求項８または９に記載の自動変速機の制御方法。
【請求項１１】
前記第３のパラメータの成分は、前記第１のパラメータおよび前記第２のパラメータの各成分の最大値である、請求項８または９に記載の自動変速機の制御方法。
【請求項１２】
前記第３のパラメータの成分は、前記第１のパラメータおよび前記第２のパラメータの各成分の最小値である、請求項８または９に記載の自動変速機の制御方法。
【請求項１３】
車両に搭載された自動変速機の制御方法であって、
車速を検出するステップと、
アクセル開度を検出するステップと、
前記車両の駆動力を検出するステップと、
車速、アクセル開度および駆動力によりギヤ比を定めるマップに従って変速するように前記自動変速機を制御するステップと、
将来の駆動力を推定するステップとを備え、
前記自動変速機を制御するステップは、現在の駆動力を用いて定められるギヤ比が将来の駆動力を用いて定められるギヤ比よりも小さい場合、将来の駆動力を用いて定められるギヤ比になるように前記自動変速機を制御するステップを含む、自動変速機の制御方法。
【請求項１４】
車両に搭載された自動変速機の制御方法であって、
車速を検出するステップと、
スロットル開度を検出するステップと、
前記車両の駆動力を検出するステップと、
車速、スロットル開度および駆動力によりギヤ比を定めるマップに従って変速するように前記自動変速機を制御するステップと、
将来の駆動力を推定するステップとを備え、
前記自動変速機を制御するステップは、現在の駆動力を用いて定められるギヤ比が将来の駆動力を用いて定められるギヤ比よりも小さい場合、将来の駆動力を用いて定められるギヤ比になるように前記自動変速機を制御するステップを含む、自動変速機の制御方法。
【発明の詳細な説明】
【技術分野】
【０００１】
本発明は、自動変速機の制御装置および制御方法に関し、特に、自動変速機のギヤ比を制御する技術に関する。
【背景技術】
【０００２】
従来より、自動変速機を搭載した車両が知られている。一般的に、自動変速機のギヤ比は、アクセル開度および車速などに応じて定められる。よりきめ細やかにギヤ比を設定するためには、アクセル開度および車速のみならず、車両が走行する環境（路面の勾配、路面の曲率、路面の摩擦係数、渋滞の程度、道路の種類）などを考慮することが好ましい。
【０００３】
特開平９−１２６３０７号公報（特許文献１）は、車両の減速状態を判定する減速状態判定部と、減速判定がなされた時に、複数の運転状態パラメータに基づいて、各パラメータ毎に異なる変速段（ギヤ段）の選択幅の中からそれぞれに変速段を設定する減速用変速段設定部と、減速用変速段設定部で設定された複数の変速段のうちの最低変速段を変速段として決定して変速制御を行なう変速制御部とを備える自動変速機の変速制御装置を開示する。
【０００４】
この公報に記載の変速制御装置によれば、減速状態において、異なるパラメータ毎に変速段の選択幅が異なる。そのため、例えば１つのパラメータでは２速まで選択されるのに対し、別のパラメータでは３速を最低速段とする構成とすることで、２速が最終的に選択される機会を意図的に減少させて、エンジンブレーキの効き過ぎを回避し得る。
【特許文献１】特開平９−１２６３０７号公報
【発明の開示】
【発明が解決しようとする課題】
【０００５】
しかしながら、特開平９−１２６３０７号公報に記載の変速制御装置においては、最終的にはいずれか１つの運転状態パラメータに基づいて設定されたギヤ段が選択される。したがって、複数のパラメータの相互作用を考慮したギヤ段が選択されるとは限らない。たとえば、路面勾配のみを考慮すると３速ギヤ段が適切であり、アクセル開度のみを考慮すると３速ギヤ段が適切であり、路面勾配およびアクセル開度の両方を考慮すると２速ギヤ段が適切である場合に、２速ギヤ段が選択されるとは限らない。また、特開平９−１２６３０７号公報に記載の変速制御装置においては、車速およびスロットル開度などを用いた２次元の変速マップに従ってギヤ段が定められる。そのため、変速マップに用いられるパラメータ以外のパラメータをギヤ段に反映し難い。したがって、自動変速機のギヤ段、すなわちギヤ比をよりきめ細かく設定するにはさらなる改善の余地があった。
【０００６】
本発明は、上述の課題を解決するためになされたものであって、その目的は、自動変速機のギヤ比をきめ細かく制御することができる自動変速機の制御装置および制御方法を提供することである。
【課題を解決するための手段】
【０００７】
第１の発明に係る自動変速機の制御装置は、車両に搭載された自動変速機の制御装置である。この制御装置は、運転者の操作を示す第１の情報を検出するための手段と、車両が走行する環境を示す第２の情報を検出するための手段と、第１の情報に応じて、二つ以上の成分を有する第１のパラメータを設定するための手段と、第２の情報に応じて、第１のパラメータと同じ種類の成分を有する第２のパラメータを設定するための手段と、第１のパラメータおよび第２のパラメータに応じて、第１のパラメータおよび第２のパラメータと同じ種類の成分を有する第３のパラメータを設定するための手段と、第３のパラメータに応じてギヤ比を設定するための手段と、設定されたギヤ比に従って変速するように自動変速機を制御するための手段とを備える。第９の発明に係る自動変速機の制御方法は、第１の発明に係る自動変速機の制御装置と同様の要件を備える。
【０００８】
この構成によると、運転者の操作を示す第１の情報および車両が走行する環境を示す第２の情報が検出される。第１の情報に応じて、二つ以上の成分を有する第１のパラメータが設定される。第２の情報に応じて、第１のパラメータと同じ種類の成分を有する第２のパラメータが設定される。これにより、運転者の操作および車両が走行する環境を、同じ種類の成分を有するパラメータに統一して表わすことができる。第１のパラメータおよび第２のパラメータに応じて、第１のパラメータおよび第２のパラメータと同じ種類の成分を有する第３のパラメータを設定される。これにより、運転者の操作および車両が走行する環境の両方を考慮して定められた第３のパラメータを得ることができる。この第３のパラメータに応じてギヤ比が設定される。設定されたギヤ比に従って変速するように自動変速機が制御される。これにより、運転者の操作および車両が走行する環境の両方の相互作用を考慮したギヤ比を設定することができる。そのため、運転者の操作および車両が走行する環境を別々に考慮してギヤ比を設定する場合に比べて、自動変速機のギヤ比をよりきめ細かく設定することができる。その結果、自動変速機のギヤ比をきめ細かく制御することができる自動変速機の制御装置もしくは制御方法を提供することができる。
【０００９】
第２の発明に係る自動変速機の制御装置においては、第１の発明の構成に加え、第３のパラメータの各成分は、第１のパラメータおよび第２のパラメータの各成分の和である。第１０の発明に係る自動変速機の制御方法は、第２の発明に係る自動変速機の制御装置と同様の要件を備える。
【００１０】
この構成によると、運転者の操作を示す第１の情報から得られた第１のパラメータおよび車両が走行する環境を示す第２の情報から得られた第２のパラメータの各成分を成分の種類毎に加算することにより第３のパラメータを得ることができる。
【００１１】
第３の発明に係る自動変速機の制御装置においては、第１の発明の構成に加え、第３のパラメータの各成分は、第１のパラメータおよび第２のパラメータの各成分の最大値である。第１１の発明に係る自動変速機の制御方法は、第３の発明に係る自動変速機の制御装置と同様の要件を備える。
【００１２】
この構成によると、運転者の操作を示す第１の情報から得られた第１のパラメータおよび車両が走行する環境を示す第２の情報から得られた第２のパラメータの各成分の最大値を集めた第３のパラメータを得ることができる。
【００１３】
第４の発明に係る自動変速機の制御装置においては、第１の発明の構成に加え、第３のパラメータの各成分は、第１のパラメータおよび第２のパラメータの各成分の最小値である。第１２の発明に係る自動変速機の制御方法は、第４の発明に係る自動変速機の制御装置と同様の要件を備える。
【００１４】
この構成によると、運転者の操作を示す第１の情報から得られた第１のパラメータおよび車両が走行する環境を示す第２の情報から得られた第２のパラメータの各成分の最小値を集めた第３のパラメータを得ることができる。
【００１５】
第５の発明に係る自動変速機の制御装置においては、第１〜４のいずれかの発明の構成に加え、第１のパラメータ、第２のパラメータおよび第３のパラメータの成分の種類は、アクセル開度および駆動力である。第１３の発明に係る自動変速機の制御方法は、第５の発明に係る自動変速機の制御装置と同様の要件を備える。
【００１６】
この構成によると、運転者の操作および車両が走行する環境に応じて、アクセル開度および駆動力を成分として有するパラメータを設定することができる。
【００１７】
第６の発明に係る自動変速機の制御装置は、車両に搭載された自動変速機の制御装置である。この制御装置は、車速を検出するための手段と、アクセル開度を検出するための手段と、車両の駆動力を検出するための手段と、車速、アクセル開度および駆動力によりギヤ比を定めるマップに従って変速するように自動変速機を制御するための制御手段とを備える。第１４の発明に係る自動変速機の制御方法は、第６の発明に係る自動変速機の制御装置と同様の要件を備える。
【００１８】
この構成によると、車速、アクセル開度および駆動力によりギヤ比を定めるマップに従って変速するように自動変速機が制御される。これにより、車速、アクセル開度および駆動力の３つの成分を考慮してギヤ比を設定することができる。そのため、車速およびアクセル開度などを用いた２次元のマップに従ってギヤ比を設定する場合に比べて、よりきめ細かくギヤ比を設定することができる。その結果、自動変速機のギヤ比をきめ細かく制御することができる自動変速機の制御装置もしくは制御方法を提供することができる。
【００１９】
第７の発明に係る自動変速機の制御装置は、車両に搭載された自動変速機の制御装置である。この制御装置は、車速を検出するための手段と、スロットル開度を検出するための手段と、車両の駆動力を検出するための手段と、車速、スロットル開度および駆動力によりギヤ比を定めるマップに従って変速するように自動変速機を制御するための制御手段とを備える。第１５の発明に係る自動変速機の制御方法は、第７の発明に係る自動変速機の制御装置と同様の要件を備える。
【００２０】
この構成によると、車速、スロットル開度および駆動力によりギヤ比を定めるマップに従って変速するように自動変速機が制御される。これにより、車速、スロットル開度および駆動力の３つの成分を考慮してギヤ比を設定することができる。そのため、車速およびスロットル開度などを用いた２次元のマップに従ってギヤ比を設定する場合に比べて、よりきめ細かくギヤ比を設定することができる。その結果、自動変速機のギヤ比をきめ細かく制御することができる自動変速機の制御装置もしくは制御方法を提供することができる。
【００２１】
第８の発明に係る自動変速機の制御装置は、第６または７の発明の構成に加え、将来の駆動力を推定するための手段をさらに備える。制御手段は、現在の駆動力を用いて定められるギヤ比が将来の駆動力を用いて定められるギヤ比よりも小さい場合、将来の駆動力を用いて定められるギヤ比になるように自動変速機を制御するための手段を含む。第１６の発明に係る自動変速機の制御方法は、第８の発明に係る自動変速機の制御装置と同様の要件を備える。
【００２２】
この構成によると、将来の駆動力が推定される。現在の駆動力を用いて定められるギヤ比が将来の駆動力を用いて定められるギヤ比よりも小さい場合、将来の駆動力を用いて定められるギヤ比になるように自動変速機が制御される。これにより、将来大きいギヤ比が要求されると予想される場合には、ギヤ比が大きい状態を維持することができる。そのため、不必要な変速が行なわれる回数を低減することができる。また、加速の応答性を向上することができる。
【発明を実施するための最良の形態】
【００２３】
以下、図面を参照しつつ、本発明の実施の形態について説明する。以下の説明では、同一の部品には同一の符号を付してある。それらの名称および機能も同一である。したがって、それらについての詳細な説明は繰り返さない。
【００２４】
＜第１の実施の形態＞
図１を参照して、本発明の第１の実施の形態に係る制御装置を搭載した車両について説明する。この車両は、ＦＦ（Front engine Front drive）車両である。なお、その他、ＦＲ（Front engine Rear drive）など、ＦＦ以外の車両であってもよい。
【００２５】
車両は、エンジン１０００と、トルクコンバータ２０００と、オートマチックトランスミッション３０００と、ディファレンシャルギヤ４０００と、ドライブシャフト５０００と、前輪６０００と、ＥＣＵ（Electronic Control Unit）７０００とを含む。
【００２６】
エンジン１０００は、インジェクタ（図示せず）から噴射された燃料と空気との混合気を、シリンダの燃焼室内で燃焼させる内燃機関である。燃焼によりシリンダ内のピストンが押し下げられて、クランクシャフトが回転させられる。インジェクタから噴射される燃料量は、所望の空燃比（たとえば理論空燃比）になるよう、エンジン１０００に吸入される空気量に応じて定められる。
【００２７】
オートマチックトランスミッション３０００は、トルクコンバータ２０００を介してエンジン１０００に連結される。したがって、トルクコンバータ２０００の出力軸回転数（タービン回転数ＮＴ）とオートマチックトランスミッション３０００の入力軸回転数とは同じである。
【００２８】
オートマチックトランスミッション３０００は、プラネタリギヤユニットを有するオートマチックトランスミッションである。オートマチックトランスミッション３０００は、所望のギヤ段を形成することにより、クランクシャフトの回転数を所望の回転数に変速する。なお、ギヤ段を形成するオートマチックトランスミッションの代わりに、ギヤ比を無段階に変更するＣＶＴ（Continuously Variable Transmission）を搭載するようにしてもよい。さらに、油圧アクチュエータにより変速される常時噛合式歯車からなる自動変速機を搭載するようにしてもよい。
【００２９】
オートマチックトランスミッション３０００の出力ギヤは、ディファレンシャルギヤ４０００と噛合っている。ディファレンシャルギヤ４０００にはドライブシャフト５０００がスプライン嵌合などによって連結される。ドライブシャフト５０００を介して、左右の前輪６０００に動力が伝達される。
【００３０】
ＥＣＵ７０００には、車輪速センサ８００２と、シフトレバー８００４のポジションセンサ８００６と、アクセルペダル８００８のアクセル開度センサ８０１０と、ブレーキペダル８０１２のストロークセンサ８０１４と、電子スロットルバルブ８０１６のスロットル開度センサ８０１８と、エンジン回転数センサ８０２０と、入力軸回転数センサ８０２２と、出力軸回転数センサ８０２４とがハーネスなどを介して接続されている。さらに、ＥＣＵ７０００には、ナビゲーションシステム９０００がハーネスなどを介して接続されている。
【００３１】
車輪速センサ８００２は、車両の４つの車輪毎に回転数を検出し、検出結果を表す信号をＥＣＵ７０００に送信する。ＥＣＵ７０００は、車輪の回転数の差などを用いたマップに従って路面の摩擦係数μを算出する。なお、路面の摩擦係数μを算出する方法は周知の一般的な技術を利用すればよいため、ここではさらなる詳細な説明は繰り返さない。
【００３２】
シフトレバー８００４の位置は、ポジションセンサ８００６により検出され、検出結果を表す信号がＥＣＵ７０００に送信される。シフトレバー８００４の位置に対応して、オートマチックトランスミッション３０００のギヤ段が自動で形成される。また、運転者の操作に応じて、運転者が任意のギヤ段を選択できるマニュアルシフトモードを選択できるように構成してもよい。
【００３３】
アクセル開度センサ８０１０は、運転者により操作されるアクセルペダル８００８の開度（アクセル開度）を検出し、検出結果を表す信号をＥＣＵ７０００に送信する。ストロークセンサ８０１４は、運転者により操作されるブレーキペダル８０１２のストローク量を検出し、検出結果を表す信号をＥＣＵ７０００に送信する。
【００３４】
スロットル開度センサ８０１８は、アクチュエータにより開度が調整される電子スロットルバルブ８０１６の開度（スロットル開度）を検出し、検出結果を表す信号をＥＣＵ７０００に送信する。電子スロットルバルブ８０１６により、エンジン１０００に吸入される空気量（エンジン１０００の出力）が調整される。スロットル開度が大きいほど、エンジン１０００に吸入される空気量が大きくなる。すなわち、スロットル開度は、エンジン１０００の出力を表わす値として用いられる。なお、シリンダに設けられた吸気バルブ（図示せず）のリフト量や作用角により、空気量を調整するようにしてもよい。この場合、リフト量や作用角が大きいほど、空気量が大きくなる。
【００３５】
エンジン回転数センサ８０２０は、エンジン１０００の出力軸（クランクシャフト）の回転数（エンジン回転数ＮＥ）を検出し、検出結果を表す信号をＥＣＵ７０００に送信する。入力軸回転数センサ８０２２は、オートマチックトランスミッション３０００の入力軸回転数ＮＩ（タービン回転数ＮＴ）を検出し、検出結果を表す信号をＥＣＵ７０００に送信する。
【００３６】
出力軸回転数センサ８０２４は、オートマチックトランスミッション３０００の出力軸回転数ＮＯを検出し、検出結果を表す信号をＥＣＵ７０００に送信する。ＥＣＵ７０００は、出力軸回転数ＮＯおよび車輪の半径などに基づいて車速を検出する。なお、車速を検出する方法については周知の一般的な技術を利用すればよいためここではその詳細な説明は繰り返さない。
【００３７】
ナビゲーションシステム９０００は、ＧＰＳ（Global Positioning System）により車両の位置を検出する。また、ナビゲーションシステム９０００は、車両が走行する環境の一部を示す路面の勾配、路面の曲率、道路の種類（高速道路および一般道）などの情報を記憶している。ナビゲーションシステム９０００は、車両が現在走行している路面の勾配、路面の曲率、道路の種類などを示す情報をＥＣＵ７０００に送信する。
【００３８】
さらに、ナビゲーションシステム９０００は、車両が走行している環境の一部を示すＶＩＣＳ（Vehicle Information and Communication System）情報を受信する。ナビゲーションシステム９０００は、ＶＩＣＳ情報として、渋滞の距離（程度）などを受信する。ナビゲーションシステム９０００が受信したＶＩＣＳ情報は、ＥＣＵ７０００に転送される。
【００３９】
ＥＣＵ７０００は、これらのセンサ等から送られてきた信号、ＲＯＭ（Read Only Memory）に記憶されたマップおよびプログラム、ナビゲーションシステム９０００から送信された情報などに基づいて、車両が所望の走行状態となるように、機器類を制御する。なお、ＥＣＵ７０００は複数のＥＣＵに分割するようにしてもよい。
【００４０】
本実施の形態において、ＥＣＵ７０００は、シフトレバー８００４がＤ（ドライブ）ポジションであることにより、オートマチックトランスミッション３０００のシフトレンジにＤ（ドライブ）レンジが選択された場合、１速〜６速ギヤ段のうちのいずれかのギヤ段が形成されるように、オートマチックトランスミッション３０００を制御する。１速〜６速ギヤ段のうちのいずれかのギヤ段が形成されることにより、オートマチックトランスミッション３０００は前輪６０００に駆動力を伝達し得る。なお形成されるギヤ段の数は「６」に限らず、その他「７」や「８」であってもよい。
【００４１】
図２を参照して、ＥＣＵ７０００の機能について説明する。なお、以下に説明するＥＣＵ７０００の機能は、ハードウェアにより実現するようにしてもよく、ソフトウェアにより実現するようにしてもよい。
【００４２】
ＥＣＵ７０００は、車速検出部７００２と、操作検出部７０１０と、走行環境検出部７０２０と、第１設定部７０３１と、第２設定部７０３２と、第３設定部７０４０と、ギヤ設定部７０５０と、制御部７０６０とを含む。
【００４３】
車速検出部７００２は、出力軸回転数センサ８０２４により検出された、オートマチックトランスミッション３０００の出力軸回転数ＮＯに基づいて車速を検出する。
【００４４】
操作検出部７０１０は、運転者の操作を示す情報を検出する。具体的には、アクセル開度センサ８０１０から送信された信号に基づいて、アクセル開度が検出される。また、ストロークセンサ８０１４から送信された信号に基づいて、ブレーキペダル８０１２のストローク量が検出される。なお、運転者の操作を示す情報はこれらに限らない。
【００４５】
走行環境検出部７０２０は、車両が走行する環境を示す情報を検出する。具体的には、ナビゲーションシステム９０００から送信された信号に基づいて、路面の勾配、路面の曲率、道路の種類、渋滞の距離（程度）が検出される。また、走行環境検出部７０２０は、車輪速センサ８００２から送信される信号に基づいて路面の摩擦係数μを算出する。なお、車両が走行する環境を示す情報はこれらに限らない。
【００４６】
第１設定部７０３１は、運転者の操作を示す情報に応じて、アクセル開度および駆動力を成分として有するパラメータを設定する。より具体的には、予め作成されたマップに従って、アクセル開度から車両の駆動力（目標駆動力）が検出される。検出されたアクセル開度はそのまま用いられる。これにより、図３に一点鎖線で示すように、検出されたアクセル開度に応じたパラメータ（ベクトル）が設定される。
【００４７】
また、予め定められたマップに従って、図３に二点鎖線で示すように、ブレーキペダル８０１２のストローク量に応じたアクセル開度および駆動力を成分として有するパラメータが設定される。なお、検出されたアクセル開度をそのまま用いるようにしてもよい。
【００４８】
第１設定部７０３１は、アクセル開度およびストローク量から得られた二つのパラメータを調停することにより得られるパラメータα（１）を出力する。たとえば図３に実線で示すように、２つのパラメータの各成分の最大値を集めたパラメータが出力される。なお、パラメータを調停する方法はこれに限らない。
【００４９】
第２設定部７０３２は、車両が走行する環境を示す情報に応じて、アクセル開度および駆動力を成分として有するパラメータを設定する。より具体的には、予め作成されたマップに従って、路面の勾配、路面の曲率、道路の種類、渋滞の距離、路面の摩擦係数μのそれぞれに応じたアクセル開度および駆動力を成分として有するパラメータ（ベクトル）が設定される。これらのパラメータを調停することにより得られたパラメータα（２）が第２設定部７０３２から出力される。たとえば、前述したように、得られた複数のパラメータの各成分の最大値を集めたパラメータが出力される。
【００５０】
なお、検出されたアクセル開度をそのまま用いるようにしてもよい。また、ＶＳＣ（Vehicle Stability Control）やＴＲＣ（TRaction Control）など、車両の駆動力を制御して挙動を安定させるための制御により車両側から要求される駆動力を考慮するようにしてもよい。
【００５１】
第３設定部７０４０は、第１設定部７０３１から出力されたパラメータα（１）および第２設定部７０３２から出力されたパラメータα（２）を調停することにより得られる１つのパラメータα（ＯＵＴ）を設定する。たとえば、図４に示すように、パラメータα（１）およびパラメータα（２）の各成分の最大値を集めたパラメータα（ＯＵＴ）が設定される。なお、パラメータを調停する方法はこれに限らない。
【００５２】
ギヤ設定部７０５０は、第３設定部７０４０により設定されたパラメータα（ＯＵＴ）に応じたギヤ段、すなわちギヤ比を設定する。図５に示すように、アクセル開度、駆動力および車速を用いた変速マップに従って、ギヤ段が設定される。図５において実線で示す変速線はアップシフト線である。図５において一点鎖線で示す変速線はダウンシフト線である。
【００５３】
変速マップは、車両の種類ごとに定められる。したがって、変速マップのみを変更することにより、変速の特性を変更することが可能である。変速マップにおいて規定された変速線は、アクセル開度の変化に応じて連続的に変化する。なお、アクセル開度方向に予め定められた間隔毎に変速線を定め、これらの間のアクセル開度における変速線を、線形補間するようにしてもよい。
【００５４】
制御部７０６０は、設定されたギヤ段に従って変速するようにオートマチックトランスミッション３０００を制御する。すなわち、オートマチックトランスミッション３０００は、ギヤ設定部７０５０により設定されたギヤ段を形成するように制御される。
【００５５】
なお、オートマチックトランスミッション３０００がＣＶＴである場合は、変速線によりギヤ段を設定する代わりに、図６に示すように、変速線によりギヤ比を設定するようにしてもよい。
【００５６】
図７を参照して、本実施の形態に係る制御装置であるＥＣＵ７０００が実行するプログラムの制御構造について説明する。なお、以下に説明するプログラムは予め定められた周期で繰り返し実行される。ＥＣＵ７０００により実行されるプログラムをＣＤ（Compact Disc）、ＤＶＤ（Digital Versatile Disc）などの記録媒体に記録して市場に流通させてもよい。
【００５７】
ステップ（以下、ステップをＳと略す）１００にて、ＥＣＵ７０００は、出力軸回転数センサ８０２４により検出された、オートマチックトランスミッション３０００の出力軸回転数ＮＯに基づいて車速を検出する。
【００５８】
Ｓ１０２にて、ＥＣＵ７０００は、運転者の操作を示す情報を検出する。すなわち、アクセル開度センサ８０１０から送信された信号に基づいて、アクセル開度が検出される。また、ストロークセンサ８０１４から送信された信号に基づいて、ブレーキペダル８０１２のストローク量が検出される。Ｓ１０４にて、ＥＣＵ７０００は、運転者の操作を示す情報に応じて、アクセル開度および駆動力を成分として有するパラメータを設定する。
【００５９】
Ｓ１０６にて、ＥＣＵ７０００は、車両が走行する環境を示す情報を検出する。すなわち、ナビゲーションシステム９０００から送信された信号に基づいて、路面の勾配、路面の曲率、道路の種類、渋滞の距離（程度）が検出される。車輪速センサ８００２から送信される信号に基づいて路面の摩擦係数μが検出される。Ｓ１０８にて、ＥＣＵ７０００は、車両が走行する環境を示す情報に応じて、アクセル開度および駆動力を成分として有するパラメータを設定する。
【００６０】
Ｓ１１０にて、ＥＣＵ７０００は、運転者の操作を示す情報から得られたパラメータα（１）および車両が走行する環境を示す情報から得られたパラメータα（２）を調停することにより、１つのパラメータα（ＯＵＴ）を設定する。
【００６１】
Ｓ１１２にて、ＥＣＵ７０００は、設定されたパラメータα（ＯＵＴ）に応じたギヤ段を、変速マップに従って設定する。Ｓ１１４にて、ＥＣＵ７０００は、設定されたギヤ段に従って変速するようにオートマチックトランスミッション３０００を制御する。
【００６２】
以上のような構造およびフローチャートに基づくＥＣＵ７０００の動作について説明する。
【００６３】
車両の走行中、車速が検出される（Ｓ１００）。さらに、運転者の操作を示す情報、すなわち、アクセル開度およびブレーキペダル８０１２のストローク量が検出される（Ｓ１０２）。運転者の操作を示す情報に応じて、アクセル開度および駆動力を成分として有するパラメータが設定される（Ｓ１０４）。
【００６４】
運転者の操作を示す情報に加えて、車両が走行する環境を示す情報、すなわち、路面の勾配、路面の曲率、路面の摩擦係数μ、道路の種類、渋滞の距離（程度）が検出される（Ｓ１０６）。運転者の操作を示す情報と同様に、車両が走行する環境を示す情報に応じて、アクセル開度および駆動力を成分として有するパラメータが設定される（Ｓ１０８）。これにより、運転者の操作および車両が走行する環境を、同じ種類の成分を有するパラメータに統一して表わすことができる。
【００６５】
運転者の操作を示す情報から得られたパラメータα（１）および車両が走行する環境を示す情報から得られたパラメータα（２）を調停することにより、１つのパラメータα（ＯＵＴ）が設定される（Ｓ１１０）。これにより、運転者の操作および車両が走行する環境の両方を考慮して定められたパラメータα（ＯＵＴ）を得ることができる。
【００６６】
このパラメータα（ＯＵＴ）に応じたギヤ段が、変速マップに従って設定される（Ｓ１１２）。設定されたギヤ段に従って変速するようにオートマチックトランスミッション３０００が制御される（Ｓ１１４）。これにより、運転者の操作および車両が走行する環境の両方の相互作用を考慮したギヤ段を設定することができる。そのため、運転者の操作および車両が走行する環境を別々に考慮してギヤ比を設定する場合に比べて、オートマチックトランスミッション３０００のギヤ段をよりきめ細かく設定することができる。
【００６７】
また、本実施の形態においては、車速の他、アクセル開度、および駆動力を用いた３次元の変速マップに従ってギヤ段が設定される。ここで、図８に示すように、アクセル開度がしきい値よりも小さい領域においては、駆動力の変化率が大きい。一方、アクセル開度がしきい値よりも大きい領域においては、駆動力の変化率が小さい。そのため、アクセル開度がしきい値よりも小さい領域においては、主に駆動力に応じてギヤ段を設定し、アクセル開度がしきい値よりも大きい領域においては、主にアクセル開度に応じてギヤ段を設定するようにすることができる。
【００６８】
以上のように、本実施の形態に係る制御装置によれば、運転者の操作を示す情報に応じて、アクセル開度および駆動力を成分として有するパラメータが設定される。車両が走行する環境を示す情報に応じて、アクセル開度および駆動力を成分として有するパラメータが設定される。運転者の操作を示す情報から得られたパラメータα（１）および車両が走行する環境を示す情報から得られたパラメータα（２）を調停することにより、１つのパラメータα（ＯＵＴ）が設定される。これにより、運転者の操作および車両が走行する環境の両方を考慮して定められたパラメータα（ＯＵＴ）を得ることができる。このパラメータα（ＯＵＴ）に応じたギヤ段が、変速マップに従って設定される。設定されたギヤ段に従って変速するようにオートマチックトランスミッションが制御される。これにより、運転者の操作および車両が走行する環境の両方の相互作用を考慮したギヤ段を設定することができる。そのため、運転者の操作および車両が走行する環境を別々に考慮してギヤ比を設定する場合に比べて、オートマチックトランスミッションのギヤ段をよりきめ細かく設定することができる。
【００６９】
なお、アクセル開度および駆動力に加えて、他の成分を有するパラメータを設定するようにしてもよい。
【００７０】
また、複数のパラメータの各成分の最大値を集めることによりパラメータを調停する代わりに、図９において実線で示すように、複数のパラメータの各成分を、成分の種類毎に加算することによりパラメータを調停するようにしてもよい。すなわち、ベクトルを加算することによりパラメータを調停するようにしてもよい。さらに、図１０において示すように、複数のパラメータの各成分の最小値を集めることによりパラメータを調停するようにしてもよい。さらに、パラメータを座標として表わしてもよい。
【００７１】
さらに、アクセル開度の代わりにスロットル開度を用いるようにしてもよい。アクセル開度とスロットル開度とは、略比例する関係にあるからである。
【００７２】
＜第２の実施の形態＞
以下、本発明の第２の実施の形態について説明する。本実施の形態は、現在のアクセル開度および現在の駆動力を用いて設定されたギヤ段の他、将来のアクセル開度および将来の駆動力を用いたギヤ段が設定される点で、前述の第１の実施の形態と相違する。また、現在の駆動力を用いて設定されたギヤ段のギヤ比が、将来の駆動力を用いて設定されたギヤ段のギヤ比よりも小さい場合、将来の駆動力を用いて設定されたギヤ段を形成する点で、前述の第１の実施の形態と相違する。その他の構造は、前述の第１の実施の形態と同じである。それらの機能についても同じである。従って、ここではそれらの詳細な説明は繰り返さない。
【００７３】
図１１を参照して、ＥＣＵ７０００の機能について説明する。なお、前述の第１の実施の形態と同じ機能には、同じ番号を付してある。従って、ここではそれらの詳細な説明は繰り返さない。
【００７４】
ＥＣＵ７０００の第１設定部７０３４は、推定部７０３６を含む。推定部７０３６は、将来の駆動力を推定する。具体的には、アクセル開度の変化率がしきい値よりも大きい場合に検出されたアクセル開度が予め定められた時間だけ保持される。予め定められたマップに従って、保持されたアクセル開度から駆動力（目標駆動力）が算出される。保持されたアクセル開度を用いて算出された駆動力が、将来の駆動力として用いられる。したがって、保持されたアクセル開度は将来のアクセル開度として用いられる。
【００７５】
アクセル開度の変化率がしきい値よりも大きい場合は、アクセル開度が一時的に変化した後に変化する前のアクセル開度に戻ると考えられる。そのため、アクセル開度の変化率がしきい値よりも大きい場合に検出されたアクセル開度が将来のアクセル開度として用いられる。なお、将来の駆動力を推定する方法はこれに限らない。
【００７６】
第１設定部７０３４は、図１２に示すように、現在のアクセル開度に応じたパラメータに設定する他、将来のアクセル開度および将来の駆動力に応じたパラメータを設定する。
【００７７】
したがって、本実施の形態においては、現在のアクセル開度と現在の駆動力とを用いて設定されたパラメータα（ＯＵＴ）、および将来のアクセル開度と現在の駆動力とを用いて設定されたパラメータα（ＯＵＴ）の２つのパラメータα（ＯＵＴ）が設定される。
【００７８】
その結果、本実施の形態においては、現在のアクセル開度と現在の駆動力とを用いて設定されたギヤ段、および将来のアクセル開度と将来の駆動力とを用いて設定されたギヤ段の２つのギヤ段が設定される。
【００７９】
制御部７０６２は、現在のアクセル開度と現在の駆動力とを用いて設定されたギヤ段のギヤ比が、将来のアクセル開度と将来の駆動力とを用いて設定されたギヤ段のギヤ比よりも小さい場合、将来のアクセル開度と将来の駆動力とを用いて設定されたギヤ段を形成するようにオートマチックトランスミッション３０００を制御する。
【００８０】
また、制御部７０６２は、現在のアクセル開度と現在の駆動力とを用いて設定されたギヤ段のギヤ比が、将来のアクセル開度と将来の駆動力とを用いて設定されたギヤ段のギヤ比以上である場合、現在のアクセル開度と現在の駆動力とを用いて設定されたギヤ段を形成するようにオートマチックトランスミッション３０００を制御する。
【００８１】
図１３を参照して、本実施の形態に係る制御装置であるＥＣＵ７０００が実行するプログラムの制御構造について説明する。なお、以下に説明するプログラムは予め定められた周期で繰り返し実行される。また、前述の第１の実施の形態と同じ処理については、同じステップ番号を付してある。したがって、それらの詳細な説明は繰り返さない。
【００８２】
Ｓ２００にて、ＥＣＵ７０００は、現在のアクセル開度と現在の駆動力とを用いて設定されたギヤ段のギヤ比が、将来のアクセル開度と将来の駆動力とを用いて設定されたギヤ段のギヤ比よりも小さいか否かを判断する。現在のアクセル開度と現在の駆動力とを用いて設定されたギヤ段のギヤ比が、将来のアクセル開度と将来の駆動力とを用いて設定されたギヤ段のギヤ比よりも小さいと（Ｓ２００にてＹＥＳ）、処理はＳ２０２に移される。もしそうでないと（Ｓ２００にてＮＯ）、処理はＳ２０４に移される。
【００８３】
Ｓ２０２にて、ＥＣＵ７０００は、将来のアクセル開度と将来の駆動力とを用いて設定されたギヤ段を形成するようにオートマチックトランスミッション３０００を制御する。Ｓ２０４にて、ＥＣＵ７０００は、現在のアクセル開度と現在の駆動力とを用いて設定されたギヤ段を形成するようにオートマチックトランスミッション３０００を制御する。
【００８４】
以上のような構造およびフローチャートに基づくＥＣＵ７０００の動作について説明する。
【００８５】
現在のアクセル開度と現在の駆動力とを用いて設定されたギヤ段のギヤ比が、将来のアクセル開度と将来の駆動力とを用いて設定されたギヤ段のギヤ比よりも小さいと（Ｓ２００にてＹＥＳ）、図１４に示すように、アップシフトした後、すぐにダウンシフトする必要がある。したがって、不必要なアップシフトが行なわれ得る。
【００８６】
そこで、現在のアクセル開度と現在の駆動力とを用いて設定されたギヤ段のギヤ比が、将来のアクセル開度と将来の駆動力とを用いて設定されたギヤ段のギヤ比よりも小さいと（Ｓ２００にてＹＥＳ）、将来のアクセル開度と将来の駆動力とを用いて設定されたギヤ段を形成するようにオートマチックトランスミッション３０００が制御される（Ｓ２０２０）。
【００８７】
これにより、将来大きいギヤ比が要求されると予想される場合には、ギヤ比が大きい状態を維持することができる。そのため、不必要な変速が行なわれる回数を低減することができる。また、加速の応答性を向上することができる。
【００８８】
一方、現在のアクセル開度と現在の駆動力とを用いて設定されたギヤ段のギヤ比が、将来のアクセル開度と将来の駆動力とを用いて設定されたギヤ段のギヤ比以上であると（Ｓ２００にてＮＯ）、現在のアクセル開度と現在の駆動力とを用いて設定されたギヤ段を形成するようにオートマチックトランスミッション３０００が制御される（Ｓ２０４）。
【００８９】
以上のように、本実施の形態に係る制御装置によれば、現在のアクセル開度と現在の駆動力とを用いて設定されたギヤ段のギヤ比が、将来のアクセル開度と将来の駆動力とを用いて設定されたギヤ段のギヤ比よりも小さいと、将来のアクセル開度と将来の駆動力とを用いて設定されたギヤ段を形成するようにオートマチックトランスミッションが制御される。これにより、将来大きいギヤ比が要求されると予想される場合には、ギヤ比が大きい状態を維持することができる。そのため、不必要な変速が行なわれる回数を低減することができる。また、加速の応答性を向上することができる。
【００９０】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９１】
【図１】車両を示す概略構成図である。
【図２】本発明の第１の実施の形態におけるＥＣＵの機能ブロック図である。
【図３】パラメータを調停する方法を示す図（その１）である。
【図４】パラメータα（ＯＵＴ）を示す図である。
【図５】変速マップを示す図（その１）である。
【図６】変速マップを示す図（その２）である。
【図７】本発明の第１の実施の形態におけるＥＣＵが実行するプログラムの制御構造を示すフローチャートである。
【図８】駆動力とアクセル開度との関係を示す図である。
【図９】パラメータを調停する方法を示す図（その２）である。
【図１０】パラメータを調停する方法を示す図（その３）である。
【図１１】本発明の第２の実施の形態におけるＥＣＵの機能ブロック図である。
【図１２】現在のアクセル開度と現在の駆動力とを用いたパラメータおよび将来のアクセル開度と将来の駆動力とを用いたパラメータを示す図である。
【図１３】本発明の第２の実施の形態におけるＥＣＵが実行するプログラムの制御構造を示すフローチャートである。
【図１４】アクセル開度、駆動力およびギヤ段の推移を示すタイミングチャートである。
【符号の説明】
【００９２】
１０００  エンジン、２０００  トルクコンバータ、３０００  オートマチックトランスミッション、４０００  ディファレンシャルギヤ、５０００  ドライブシャフト、６０００  前輪、７０００  ＥＣＵ、７００２  車速検出部、７０１０  操作検出部、７０２０  走行環境検出部、７０３１，７０３４  第１設定部、７０３２  第２設定部、７０３６  推定部、７０４０  設定部、７０５０  設定部、７０６０，７０６２  制御部、８００２  車輪速センサ、８００４  シフトレバー、８００６  ポジションセンサ、８００８  アクセルペダル、８０１０  アクセル開度センサ、８０１２  ブレーキペダル、８０１４  ストロークセンサ、８０１６  電子スロットルバルブ、８０１８  スロットル開度センサ、８０２０  エンジン回転数センサ、８０２２  入力軸回転数センサ、８０２４  出力軸回転数センサ、９０００  ナビゲーションシステム。
【図１】
0004380742.tif 000002
【図２】
0004380742.tif 000003
【図３】
0004380742.tif 000004
【図４】
0004380742.tif 000005
【図５】
0004380742.tif 000006
【図６】
0004380742.tif 000007
【図７】
0004380742.tif 000008
【図８】
0004380742.tif 000009
【図９】
0004380742.tif 000010
【図１０】
0004380742.tif 000011
【図１１】
0004380742.tif 000012
【図１２】
0004380742.tif 000013
【図１３】
0004380742.tif 000014
【図１４】
0004380742.tif 000015